(57)【要約】【課題】コイン選別過程で仮にコインがロックして詰りかけても、そのコインのロックを瞬時に解除して適正な選別動作を確保することができるコイン選別装置の制御方法及びコイン選別装置を提供する。【解決手段】投入されたコインを自重により１枚ずつ転動させて内方に導くコイン通路を設け、該コイン通路を転動するコインの大きさを選別し、適正な大きさのコインを取込み、不適な大きさのコイン類を返却するコイン選別装置の制御方法であって、前記コイン選別装置の可動ガイド板が正常に動作しているか否かを判別し、該可動ガイド板に異常が発生したことを判別したとき、前記可動ガイド板の駆動出力をコイン詰り排除用に切換えて可動ガイド板を自己復旧させる。【選択図】図７
2008036127.tif 000002
【特許請求の範囲】
【請求項１】
入口から投入されたコインが自重により転動して通過するコイン通路と、
該コイン通路の出口側に設けられた計数センサと、
前記コイン通路の計数センサ位置より前に配置され、
外部からの通過不許可制御信号に基づきコインを計数センサ方向へ通過不能に、
外部からの通過許可制御信号に基づきコインを計数センサ方向へ通過可能に、かつ所定の大きさより小さいコインをコイン通路外へ排出するようにガイドする可動ガイド板とからなり、
該可動ガイド板を制御して投入された所定の大きさのコインのみをコイン通路の出口から放出させるコイン選別装置の制御方法であって、
前記コイン選別装置は前記コイン通路の入口付近にコイン検知センサを備え、
前記通過許可制御信号出力後に該コイン検知センサが所定時間以上コイン有り検知状態となったとき、前記通過不許可制御信号と前記通過許可制御信号を出力させて可動ガイド板を制御してなる
コイン選別装置の制御方法。
【請求項２】
入口から投入されたコインが自重により転動して通過するコイン通路と、
該コイン通路の出口側に設けられた計数センサと、
前記コイン通路の計数センサ位置より前に配置され、
外部からの通過不許可制御信号に基づきコインを計数センサ方向へ通過不能に、
外部からの通過許可制御信号に基づきコインを計数センサ方向へ通過可能に、かつ所定の大きさより小さいコインをコイン通路外へ排出するようにガイドする可動ガイド板とからなり、
該可動ガイド板を制御して投入された所定の大きさのコインのみをコイン通路の出口から放出させるコイン選別装置であって、
前記コイン通路の入口付近にコインを検知するコイン検知センサを備え、
前記コイン検知センサが前記通過許可制御信号出力後にコイン有りを所定時間以上検知したとき、コイン詰り排除用に前記通過不許可制御信号と通過許可制御信号の出力を受けて前記可動ガイド板を制御する制御手段を備えた
コイン選別装置。
【発明の詳細な説明】
【技術分野】
【０００１】
この発明は、例えばスロットマシンのような遊技機に内蔵されるコイン選別装置を制御する方法に関し、さらに詳しくはコイン詰りが発生しても自己復旧する制御機能を備えたコイン選別装置の制御方法及びコイン選別装置に関する。
【背景技術】
【０００２】
一般に、この種のコイン選別装置は、上方の投入口に連通して垂直方向から斜め下向きに傾斜するコイン転動通路を設け、このコイン転動通路をコインが自重により転動して通過するコイン転動過程で、該コインを大きさ別に選別して取込み処理と返却処理を行っている(例えば特許文献１参照)。
【０００３】
この場合、コイン転動通路には、該コイン転動通路に直交する壁面より突起部材を退避自在に突出させ、適正な大きさのコインが投入された場合は、該コインが突起部材を押し退けつつコイン転動通路に沿って内方に取込まれる。
【０００４】
これに対し、小径の不適なコインが投入されたときは、小径ゆえに転動通路内で起立した小径コインは自由状態のため、該小径コインは通路転動中に一方の壁面から突出する突起部材と対応したときに他方に押し出される形で横倒しされ、この他方に対応して大きく開口した排出口より小径コインは排出されて返却口へと返却される。
【０００５】
例えば、スロットマシンの場合を例にとると、リール回転時やコイン貯留枚数（クレジット）のコイン最大貯留枚数を越えた場合、コイン選別装置ではコインを受付けないようにコイン非受付状態にする。ところが、このコイン非受付状態の条件が解消されて、このコイン非受付状態からコイン受付状態に切換える場合、制御部はソレノイドを駆動し、コイン選別用に動作する可動ガイド板をコイン受付位置に移動させることになる。
【０００６】
しかし、コイン非受付状態からコイン受付状態に切換える場合の可動ガイド板の動作タイミングによっては、該可動ガイド板と、その対向面(傾斜路の底面)間で通過しようとするコインを挟んでロックしてしまうことがある。この時、コインは投入可能になっているため、このロックした場合は、ロックが発生したことが分からず、その部分に次々に投入されたコインが滞留して詰り、結果的にコイン詰りを発生(エラー)させる原因となってしまう問題を有していた。
【０００７】
【特許文献１】特開平８ー２４４３４号公報
【発明の開示】
【発明が解決しようとする課題】
【０００８】
そこでこの発明は、コイン選別過程で仮にコインがロックして詰りかけても、そのコインのロックを瞬時に解除して安定した選別動作を維持することができるコイン選別装置の制御方法及びコイン選別装置を提供することを目的とする。
【課題を解決するための手段】
【０００９】
この発明は、入口から投入されたコインが自重により転動して通過するコイン通路と、該コイン通路の出口側に設けられた計数センサと、前記コイン通路の計数センサ位置より前に配置され、外部からの通過不許可制御信号に基づきコインを計数センサ方向へ通過不能に、外部からの通過許可制御信号に基づきコインを計数センサ方向へ通過可能に、かつ所定の大きさより小さいコインをコイン通路外へ排出するようにガイドする可動ガイド板とからなり、該可動ガイド板を制御して投入された所定の大きさのコインのみをコイン通路の出口から放出させるコイン選別装置の制御方法であって、前記コイン選別装置は前記コイン通路の入口付近にコイン検知センサを備え、前記通過許可制御信号出力後に該コイン検知センサが所定時間以上コイン有り検知状態となったとき、前記通過不許可制御信号と前記通過許可制御信号を出力させて可動ガイド板を制御してなることを特徴とするコイン選別装置の制御方法である。
【００１０】
ここで、外部からの通過不許可制御信号とは、コイン選別装置の可動ガイド板を制御する外部に設けられた制御部からの信号であり、この信号を受けてコイン通路でのコインの通過を不許可にする可動ガイド板の動きをコイン非受付状態にすることである。また、外部からの通過許可制御信号とは、コイン選別装置の可動ガイド板を制御する外部に設けられた制御部からの信号であり、この信号を受けてコイン通路を通過しようとするコインの通過を許可する可動ガイド板の動きをコイン受付状態にすることである。
【００１１】
さらに、可動ガイド板を制御とは、該可動ガイド板の動きをコインの通過を不許可するコイン非受付状態またはコインの通過を許可するコイン受付状態になるように、可動ガイド板に制御信号を出力することである。例えば、可動ガイド板を駆動するソレノイドに対してＯＮ/ＯＦＦの制御信号を出力する。
【００１２】
この発明の別の構成では、入口から投入されたコインが自重により転動して通過するコイン通路と、該コイン通路の出口側に設けられた計数センサと、前記コイン通路の計数センサ位置より前に配置され、外部からの通過不許可制御信号に基づきコインを計数センサ方向へ通過不能に、外部からの通過許可制御信号に基づきコインを計数センサ方向へ通過可能に、かつ所定の大きさより小さいコインをコイン通路外へ排出するようにガイドする可動ガイド板とからなり、該可動ガイド板を制御して投入された所定の大きさのコインのみをコイン通路の出口から放出させるコイン選別装置であって、前記コイン通路の入口付近にコインを検知するコイン検知センサを備え、前記コイン検知センサが前記通過許可制御信号出力後にコイン有りを所定時間以上検知したとき、コイン詰り排除用に前記通過不許可制御信号と通過許可制御信号の出力を受けて前記可動ガイド板を制御する制御手段を備えたことを特徴とするコイン選別装置である。
【発明の効果】
【００１３】
この発明によれば、コイン選別部分でのコイン詰りを解消して常に正常なコイン選別動作を確保することができる信頼性の高いコイン選別性能が得られる。
【実施例】
【００１４】
この発明の一実施例を以下図面に基づいて説明する。  
図面は遊技ホールに設置されるスロットマシンに内蔵されるコイン選別装置(コインセレクタ)を示し、図１はコインセレクタ１１の基板表面側から見たコイン(メダル)Ｃの選別状態を示す外観斜視図、図２はコインセレクタ１１の基板裏面側を示す外観斜視図、図３は基板１２と開閉板１３との一対を組合せて構成されるコインセレクタ１１の分解斜視図である。
【００１５】
上述のコインセレクタ１１は、平面視コの字状の基板１２と、開閉板１３とを備え、開閉板１３側の支軸１４を基板１２側の軸受部１５，１５に軸支すると共に、バネ１６により開閉板１３を常時基板１２側に付勢し、これら基板１２と開閉板１３との両者によりコイン通路１７を形成している。
【００１６】
このコイン通路１７は上部の入口１８と下方の出口１９とを有するＬ字状に形成され、入口１８から下方に延びる縦辺部Ｌ１と、斜め下方に延びて出口１９に至る横辺部Ｌ２と、これら両辺部Ｌ１，Ｌ２を湾曲状に連通接続する湾曲部Ｌ３とを備えている。
【００１７】
また、基板１２裏面側の支軸２０を支点として揺動可能な可動ガイド板２１を設けている。この可動ガイド板２１は横長のガイド部２２を基板１２の開口部２３からコイン通路１７の上部に沿設し、このガイド部２２でコインＣの上端側を搬送方向にガイドするように構成している。
【００１８】
さらに、上述の可動ガイド板２１には、基板１２の裏面側に位置する排出部材としてのブロッカー２４を一体に折り曲げ形成し、このブロッカー２４の下端ブロック部２４ａをコイン通路１７の下流側の開口部１７ａから該コイン通路１７に出没可能に構成している。
【００１９】
また、上述の基板１２の裏面側にはソレノイド２５で駆動される可動板２６を設け、この可動板２６の遊端２６ａを可動ガイド板２１の上端２１ａに対向させ、ソレノイド２５のＯＮ時に可動板２６の遊端２６ａで可動ガイド板２１の上端２１ａを押圧して、該可動ガイド板２１のガイド部２２でコインＣの上端側を搬送ガイドすると共に、ブロッカー２４の下端ブロック部２４ａをコイン通路１７の開口部１７ａから基板１２の裏面側に後退させる。これにより、有効と選別された正規のコインは出口１９へと搬送し、無効と選別された不適合の大きさのコイン類は開閉板１３の排出口１３ａから排出させて、外部（スロットマシンの返却口）に返却するように構成している。
【００２０】
ソレノイド２５のＯＦＦ時には、可動ガイド板２１がコイン上端側の搬送ガイドを解除すると共に、ブロッカー２４の下端ブロック部２４ａをコイン通路１７側へ突出させて、コインＣの受入れを中止させている。
【００２１】
前記コイン通路１７の横辺部Ｌ２は、該横辺部Ｌ２の上下に対設される可動ガイド板２１と通路の下面を形成する案内プレート１７ｂとの上下に平行する間隔により直径の小さなコインを通路外に排除する外形選別を実施し、正規の大きさのコインのみを通過させて計数するように構成している。
【００２２】
従って、出口１９からはスロットマシン専用に設けられた一定の大きさの円板形状を有する適正な大きさのコインＣのみが取込まれる。この出口１９の直前においてコイン通路１７を形成する基板１２の通路壁には、コイン通路１７の横辺部Ｌ２を通過するコインＣを検知して計数する第１センサＳ１と第２センサＳ２とを、この通路方向に順に取付けている。
【００２３】
これらのセンサＳ１，Ｓ２は投受光してコインＣの通過を検知する光学式検知センサで構成することができ、コインＣがコイン通路１７に沿って下流側に移動し、このコインＣが両センサＳ１，Ｓ２の光軸をこの順に遮ることで、コインＣの通過を検出する。具体的には、コインの進行方向を検出すると共に、センサ出力時間、位相差、出力順位などを検出し、コインの真偽判定・通過コインの計数を実施するため、適正なコインの直径より小さくなる間隔に配置された２つのセンサＳ１，Ｓ２を有している。
【００２４】
ところで、投入されたコインＣを上方から自重により１枚ずつ転動させて内方に導くコイン通路１７の縦辺部Ｌ１には、コインの投入を検知する投入コイン検知装置２７を配設している。
【００２５】
図４は投入コイン検知装置２７に備えられる第３センサＳ３の支持構造を示す一部分解斜視図である。この第３センサＳ３の支持構造は、基板１２のコ型側面の一方（入口１８側）に開口した上下の取付窓２７ａ，２７ｂにコ型取付体２９の上下のコ型水平片２９ａ，２９ｂを差し込んで嵌合することにより、該第３センサＳ３は基板１２に一体に固定される。
【００２６】
図５は投入コイン検知装置２７に備えられる検知レバー２８の動作状態を示す要部縦断面図である。このうち、図５(Ａ)はコインの投入を待っているコイン受付待機状態を示し、図５(Ｂ)はコインが投入された直後の検知レバー部分でのコイン受付状態を示している。
【００２７】
前記投入コイン検知装置２７は、検知レバー２８と、該検知レバー２８を付勢するコイルバネ３０と、検知レバー２８の動きを検知する第３センサＳ３とを組合せて構成される。
【００２８】
前記検知レバー２８は、基板１２の縦辺部Ｌ１の裏面側に沿って水平に架設した支軸３１に検知レバー２８の上端部を軸支し、該検知レバー２８の下端部を回動自由にコイルバネ３０により付勢して、該検知レバー２８と対応するコイン通路１７の縦辺部Ｌ１の壁面を開口した開口窓３２より内方のコイン通路１７の通路空間に向けて出没自在に付勢突出させている。
【００２９】
このときのコイルバネ３０の付勢力はコインＣの通過時に、その降下力により検知レバー２８がコイン通路１７から外方に退避するように設定し、その荷重（トルク）はコインＣの質量・速度などから決定する。  
この場合、前記検知レバー２８の先端部は、コイルバネ３０に付勢されて常時基板１２の裏面側から内方のコイン通路１７に向けて斜め下向きに軽く付勢突出させている(図５(Ａ)参照)。
【００３０】
そして、入口１８よりコインＣが入ってきた時は、図５(Ｂ)に示すように、検知レバー２８はコインＣの降下力を受けて、コイン通路１７の外方へと押し戻されて退避移動し、略垂直に降下するコインＣの通過を許容している。該コインＣの通過後は、図５(Ａ)に示すように、再び検知レバー２８は下端部がコイルバネ３０の付勢力を受けてコイン通路１７内に臨んで次の通過コインと接触可能な元の突出位置に突出する。
【００３１】
さらに、検知レバー２８は第１分岐片２８ａと第２分岐片２８ｂとからなる逆Ｖ字形を有しており、これらの逆Ｖ字形の屈曲部分を回動支点に前記支軸３１に軸支して設け、分岐した逆Ｖ字形の第１分岐片２８ａをコインの投入検知用に通路内に臨ませ、第２分岐片２８ｂを後述するレバー検知用の第３センサＳ３の遮光用に基板１２の裏面側に延出させている。そして、コインＣの通過時に第１分岐片２８ａがコインＣに押されて回動変位し、その動きと同時に第２分岐片２８ｂも同方向に回動変位し、この第２分岐片２８ｂの動きに基づいて後述するレバー検知用の第３センサＳ３の光軸を透光動作するように設けている。
【００３２】
前記第３センサＳ３は、上下方向に対向して前記第２分岐片２８ｂを上下方向より空間を隔てて挟む上方の位置に投光素子Ｓ３１を配設し、下方の位置に受光素子Ｓ３２を配設して、第２分岐片２８ｂの動きを光学式に検知する構成を有している。この場合、第１分岐片２８ａがコイン通路１７内に臨んでいるコイン未検知状態では、投光素子Ｓ３１から投光した光軸が第２分岐片２８ｂによって遮光される回転角度に設定している。これに対し、第１分岐片２８ａがコインＣに押されてコイン通路１７から外方に押されたコイン検知状態では、第２分岐片２８ｂが光軸の遮光位置より退避移動して、投光素子Ｓ３１から投光した光軸を受光素子Ｓ３２に受光させる回動角度に設定している。
【００３３】
このような第３センサＳ３を設けることにより、コインＣが入口１８から入ってきた時、第１分岐片２８ａはコインＣにより押され、これに連動して第２分岐片２８ｂが後方に回動変位し、遮光状態から透光状態になったことを第３センサＳ３が検知することによって、コインＣが投入されたことを検知する。
【００３４】
この場合、投入コイン検知装置２７では、投入されたコインの通過状態を検知することに加えて、コインの選別状態の適否を検知する機能を備えている。このコインの選別状態の適否としては、コイン通路１７を通過するコインの選別過程で仮にコイン詰りが発生したとしても、該投入コイン検知装置２７が検知することができる。従って、コイン詰りを検知した場合は、このコイン詰り検知信号に基づいて、後述する制御部６１がコイン詰りを解除する駆動信号を出力させて自動的に復旧させることができる。
【００３５】
図６はコインセレクタ１１の制御回路ブロック図を示し、遊技機の制御部６１には、該コインセレクタ１１の第１〜第３センサＳ１〜Ｓ３と、ソレノイド２５とがそれぞれ接続される。そして、検知位置の異なる第１〜第３センサＳ１〜Ｓ３を組合せた検知情報と、これに対応した制御部６１内のタイマによるコイン監視時間の経過情報及びソレノイド２５への出力信号に基づいて、制御部６１は適正なコインの取込みか、コイン詰りによる異常発生かを判別することができる。これにより、制御部６１はコインセレクタ１１を監視して正常状態に運用管理するものである。
【００３６】
前記制御部６１は、投入されたコインＣがコイン通路１７内で滞留して詰まって、コイン通路１７の縦辺部Ｌ１にコインＣが停滞していないかを第３センサＳ３の検知信号を介して判別している。そして、制御部６１が投入コイン検知装置２７でのコイン詰りと判別したとき、制御部６１はソレノイド２５にコインＣの通過許可制御信号を出力している状態からソレノイド２５に通過不許可制御信号として、コイン詰り排除用の駆動信号を出力する。これにより、可動ガイド板２１をＯＮ状態からＯＦＦ状態に切換えてロック解除動作させ、可動ガイド板２１の動きを自己復旧させる。この場合、コイン詰り解除動作の信頼性を高めるために可動ガイド板２１の動きを自己復旧させるときのＯＦＦ・ＯＮの駆動回数を複数回繰り返して実行させるのが適している。これにより、可動ガイド板２１の部分でコイン詰りが発生したとしても、直ちにコイン詰りを解除できる。よって、常にコインセレクタ１１ではコイン通路１７内でコインＣが滞留することなく、正常なコイン選別動作ができる。
【００３７】
このように構成されたコインセレクタ１１の制御動作を図７のタイムチャート及び図８のフローチャートを参照して説明する。図７(Ａ)はコイン選別部分を正常に自己復旧させた場合のタイムチャートを示し、図７(Ｂ)はコイン選別部分の自己復旧が不可の場合のタイムチャートを示している。
【００３８】
スロットマシンの遊技利用に際して、リール回転時やコイン貯留枚数（クレジット）のコイン最大貯留枚数を越えた場合、該スロットマシンはコインの受付けを一時規制したコイン非受付状態になり、制御部６１は通過不許可制御信号をコインセレクタ１１のソレノイド２５に出力させてソレノイド２５をＯＦＦし、コインをコインセレクタ１１で受付けないようにしている。このコイン非受付状態からコイン非受付状態の条件が解消されて、再びコイン受付状態にするときは、制御部６１が通過許可制御信号をコインセレクタ１１のソレノイド２５に出力させてソレノイド２５をＯＮし、可動ガイド板２１を正規の取込みガイド位置に移動させてコインＣの受付を許可させる。
【００３９】
このコイン受付状態にあるコインセレクタ１１にコインＣが投入されると、該コインセレクタ１１では導かれたコインＣがコイン通路１７を通ることによって、検知レバー２８の第１分岐片２８ａが押され、これに連動して第２分岐片２８ｂが回動変位し、第３センサＳ３の光軸を透光させ、コインを検知する(ステップｎ１)。
【００４０】
その後、第３センサＳ３が規定時間(例えばコイン１枚分の通過時間)を経過しても、該第３センサＳ３がコインを検知し続けているか否かを確認し(ステップｎ２)、第３センサＳ３の検知出力が遮光状態のＨｉ(コイン無し)信号であれば、制御部６１は正常にコインが１枚通過したと判別し、次のコインＣの投入に備える。
【００４１】
これに対し、第３センサＳ３の検知出力がコインに透光されたＬｏ(コイン有り)信号であれば、制御部６１はコイン選別位置でのコイン詰りが発生している可能性有りと判別し、可動ガイド板２１を繰返し開閉動作させる。例えば、ソレノイド２５をＯＮ状態からＯＦＦ／ＯＮ／ＯＦＦ／ＯＮ動作させる（図７(Ａ)のタイムチャート参照）。これにより、可動ガイド板２１は開閉動作されて該可動ガイド板２１のガイド部２２と案内プレート３３ｂとの間に挟まれたコインのロック状態を解除してコイン通路３３より排除する(ステップｎ３)。
【００４２】
制御部６１は可動ガイド板２１を開閉動作させた後、ある規定時間(コイン１枚分の通過時間程度)待機させ(ステップｎ４)、その規定時間を経過しても、第３センサＳ３のコイン検知(詰り)信号が出力されているか、否かを判別し(ステップｎ５)、
第３センサＳ３の検知出力がＨｉ信号７１(図７(Ｂ)のタイムチャート参照)であれば、制御部６１は可動ガイド板２１が正常に動作していると判断して自己復旧したことを確認し、次のコインの投入に備える。
【００４３】
これに対し、第３センサＳ３の検知出力がＬｏ信号７２(図７(Ｂ)のタイムチャート参照)であれば、自己復旧できていないため制御部６１は自己復旧不可と判断して異常処理(後述)に移行する(ステップｎ６)。上述の異常処理としては、警報ランプ、アラーム、エラー表示などの出力手段により報知、及びスロットマシンの動作を停止させるなどの対応をとることができる。またこの場合は、コイン非受付状態になり、コインＣをコインセレクタ１１で受付けないようにする。
【００４４】
前記規定時間は、コインＣの流下速度などから決定され、この決定された値に基づいて制御部６１は規定時間か否かを判定することができる。また、出口１９側に通路方向に沿って配設された第１センサＳ１と第２センサＳ２での検知時間差、及び第３センサＳ３と前記両センサＳ１，Ｓ２との間の検知時間差等を確認することにより、制御部６１はコインＣの流下状態を正確に把握することができる。
【００４５】
上述のように、コインセレクタのコイン選別部分を監視する構成のため、該コイン選別部分が常に正常に動作しているか否かを確認することができる。従って、コイン詰りなどの異常発生時には制御部が復旧信号を出力させて自己復旧することができるため、信頼性の高いコイン選別性能を確保することができる。
【００４６】
この発明の構成と、上述の実施例の構成との対応において、
この発明の計数センサは、実施例の第１センサＳ１と第２センサＳ２に対応し、
以下同様に、
コイン検知センサは、実施例の第３センサ３に対応し、
制御手段は、制御部６１に対応し、
通過不許可制御信号は、ソレノイド２５をＯＦＦする信号に対応し、
通過許可制御信号は、ソレノイド２５をＯＮする信号に対応し、
コイン選別装置は、コインセレクタ１１に対応するも、この発明は請求項に記載される技術思想に基づいて応用することができ、上述の実施例の構成のみに限定されるものではない。例えば、上述の実施例ではコインセレクタ１１を遊技機に適用した場合を示したが、これに限らず、流通硬貨を受入れる自動販売機などにも適用することができる。
【図面の簡単な説明】
【００４７】
【図１】コインセレクタの基板表面側から見たコインの選別状態を示す外観斜視図。
【図２】コインセレクタの基板裏面側を示す外観斜視図。
【図３】基板と開閉板との一対を組合せて構成されるコインセレクタの分解斜視図。
【図４】投入コイン検知装置に備えられる第３センサの支持構造を示す一部分解斜視図。
【図５】投入コイン検知装置に備えられる検知レバーの動作状態を示す要部縦断面図。
【図６】コインセレクタの制御回路ブロック図。
【図７】コイン非受付状態からコイン受付状態に切換えた時の制御動作を示すタイムチャート。
【図８】コイン非受付状態からコイン受付状態に切換えた時の制御動作を示すフローチャート。
【符号の説明】
【００４８】
１１…コインセレクタ
１７…コイン通路
２７…投入コイン検知装置
２８…検知レバー
６１…制御部
Ｓ３…第３センサ
Ｃ…コイン
【図１】
2008036127.tif 000003
【図２】
2008036127.tif 000004
【図３】
2008036127.tif 000005
【図４】
2008036127.tif 000006
【図５】
2008036127.tif 000007
【図６】
2008036127.tif 000008
【図７】
2008036127.tif 000009
【図８】
2008036127.tif 000010